(57)【要約】【課題】  容易かつ安価な機構で安定した搬送方向の整合性を実現し、綴じ用紙束の外観品質を向上させた用紙後処理装置を提供する。【解決手段】  正逆回転させる駆動手段を有した放出ベルトに設けられた複数個の放出部材の後部に弾性部材を設け、また、放出ベルト上に逆転駆動のときのみ放出ベルト上の最下部用紙を用紙積載台の突き当て部材方向に押す突起部材を設けたことを特徴とする。【選択図】図１
2009132488.tif 000002
【特許請求の範囲】
【請求項１】
電子写真装置から排出される用紙を搬送手段により搬送し、傾斜配置された用紙積載台上に積載し、前記用紙を前記用紙載置台の最下部に配置した用紙後端突き当て部材に突き当てて位置決め整列させ、前記用紙を綴じ手段により綴じ処理した後、排出手段により前記用紙を排出する構成になっており、
前記排出手段は、複数のプーリ間に回動可能に張設された放出ベルトと、前記放出ベルトにその放出ベルトの回動により綴じ処理された用紙束の搬送方向後端を押圧して前記用紙束を積載トレイ上に放出させる放出部材を複数個配置し、
前記放出ベルトを正逆回転させる駆動手段を有し、その駆動手段により前記放出ベルトを逆転駆動させて、一つの放出部材により用紙積載台に搬送された用紙の先端部を押圧して、前記用紙の後端を前記用紙積載台の最下部に配置された突き当て部材に突き当て位置決め整列させ、綴じ手段により綴じ処置した後、前記放出ベルトを正転駆動させ、他方の放出部材で綴じ処理された用紙束の搬送方向後端を押圧して排出させる用紙後処理装置において、
前記放出部材の後部に弾性部材を設けて、その弾性体で用紙先端部を押すことを特徴とする用紙後処理装置。
【請求項２】
正逆回転する前記放出ベルト上の用紙積載位置に突起部材を設け、逆転駆動するときに最下部の用紙を下方に押すことを特徴とする請求項１記載の用紙後処理装置。
【発明の詳細な説明】
【技術分野】
【０００１】
本発明は、電子写真装置の用紙後処理装置に関するものである。
【背景技術】
【０００２】
用紙後処理装置の綴じ処理を実施する用紙積載台上での積載用紙束の搬送方向の整合性を向上させる機構として特許文献１に、正逆回転させる駆動手段を有した放出ベルトに複数個の放出部材を設け、放出ベルトを逆転駆動させて、一つの放出部材により用紙積載台に搬送される用紙の先端部を押圧して、用紙の後端を突き当て部材に突き当て位置決め整列させ、綴じ手段により綴じ処置した後、放出ベルトを正転駆動させ、他方の放出部材で綴じ処理された用紙束の搬送方向後端を押圧して排出させる用紙後処理装置が開示されている。
【０００３】
【特許文献１】特開２００３−１９２２１３号公報
【発明の開示】
【発明が解決しようとする課題】
【０００４】
用紙後処理装置では、搬送ローラによって傾斜配置された用紙積載台上に用紙を搬入し、用紙積載台の最下部に配置された突き当て部材に用紙を突き当て搬送方向の整合をしていたが、突き当て部材に突き当たってときの跳ね返りで用紙先端部不揃いを発生する。特に、生産性の高い高速プリンタにおいては用紙の搬送速度が高いため、不揃いが起こりやすい。この不揃いのまま、綴じ処理が行われると、用紙束の外観品質が低下する。
【０００５】
そのため、引き込みローラもしくはパドル等の補助ローラによって用紙積載台の最下部に配置された突き当て部材に用紙を突き当て搬送方向の整合性を確保していた。また、用紙の先端を押す機構を追加して突き当て部材に用紙を突き当て搬送方向の整合性を確保していた。
【０００６】
しかし、特許文献１の放出ベルトを逆転駆動させて放出部材の後面で用紙積載台に搬送された用紙の先端部を押圧して、用紙の後端を突き当て部材に突き当て位置決め整列させることで機構を追加することなく搬送方向の整合性を向上させた。しかしながら、用紙の種類、厚さ、用紙サイズ等によっては、用紙の剛性などの違いから用紙の搬送方向の整合が安定しない場合があり、早い速度で用紙の先端部を押すことにより、傷を発生させる場合がある。
【０００７】
また、綴じ動作には一定の時間が必要となるが、生産性に高いプリンタに接続される用紙後処理装置においては、綴じ処置での印刷速度の低下を無くすため、綴じ処置後の次用紙では用紙積載台に搬送する前にあらかじめ用紙を待機させ、次の用紙と２枚重ね合わせた後に搬送する機構を設けて、用紙積載台に搬入される用紙の間隔をあけることによって綴じ時間を稼ぎ、印刷速度の低下を無くしている。
【０００８】
しかしながら、２枚の用紙を重ね合わせて用紙積載台に送り込んだ場合、重ね合わせた用紙にずれが生じていたときに、上部用紙はパドル等の補助ローラにて用紙積載台の最下部に配置された突き当て部材に用紙を突き当てが可能であり搬送方向の整合性を確保できたが、下部用紙の突き当てができず整合が安定しない場合があった。
【０００９】
本発明の目的はこの問題点を除き、容易かつ安価な機構で安定した搬送方向の整合性を実現し、綴じ用紙束の外観品質を向上させた用紙後処理装置を提供することである。
【課題を解決するための手段】
【００１０】
上記目的を達成するため本発明の第１の手段は、放出ベルト上に配置された放出部材の後面に弾性部材を設け、逆転駆動にて用紙積載台に搬送される用紙の先端部を弾性部材にて押圧して、用紙の後端を突き当て部材に突き当て位置決め整列させることを特徴とするものである。
【００１１】
本発明の第２の手段は前記第１の手段において、逆転駆動する放出ベルト上に用紙を用紙積載台の突き当て部材方向のみ押す突起部材を設けたことを特徴とするものである。
【発明の効果】
【００１２】
本発明は前述のような構成になっており、容易かつ安価な機構で安定した搬送方向の整合性を実現し、綴じ用紙束の外観品質を向上させた用紙後処理装置を提供することができる。
【発明を実施するための最良の形態】
【００１３】
本発明の実施の形態に係る用紙後処理装置では、図１のように放出ベルト上に配置された放出部材の後面に設けた弾性部材によって、逆転駆動にて用紙積載台に搬送された用紙の先端部を弾性部材にて押圧して、用紙の後端を突き当て部材に突き当て位置決め整列させることによって用紙の種類、厚さ、用紙サイズ等での用紙の剛性などの違いを弾性部材によって補正し、傷等を発生させることなく用紙の搬送方向の整合性を確保することができる。
【００１４】
また、図１のように逆転駆動する放出ベルト上に用紙を用紙積載台の突き当て部材方向のみ押す突起部材を設けることによって、印刷速度を低下させることなく綴じ動作を行なうため２枚重ね合わされて用紙積載台に搬送された用紙に対しても搬送方向の整合性を確保することができる。
【００１５】
正逆回転させる駆動手段を有した放出ベルトに設けられた複数個の放出部材の後部に弾性部材を設け、また、放出ベルト上に逆転駆動のときのみ放出ベルト上の最下部用紙を用紙積載台の突き当て部材方向に押す突起部材を設けたことにより実現した。
【００１６】
次に図面を参照して本発明の実施例を説明する。図１ならびに図２は、本発明の実施例の側面図を示す。図１において１は用紙、２は用紙後処理装置、３は一時待機重ね合わせ搬送部、４は搬送ローラ対、５は用紙積載台、６は用紙積載台の突き当て部材、７は補助ローラ、８は綴じ機構部、９は放出ベルト、１０は放出部材、１１は弾性部材、１２は突起部材である。プリンタ（図示せず）によって印刷された用紙１は用紙後処理装置２の一時待機重ね合わせ搬送部３にて、前用紙束の綴じ動作、排出が完了するまでの時間を稼ぐため、２枚の用紙が重なるままで、停止、待機される。用紙１は２枚重なったのち、搬送ローラ対４によって傾斜配置された用紙積載台５に送り込まれる。
【００１７】
２枚重なった用紙１は自重による落下とパドル等の補助ローラ７によって用紙積載台５の突き当て部材６に突き当てられ搬送方向の整合を行なう。その後、整合性を上げるために放出ベルト９を図示しない駆動機構により放出方向とは逆方向に逆転駆動させて、放出ベルト９上に配置されている放出部材１０を下方に動かす。放出部材１０の後面には弾性部材１１を設け、弾性部材１１で用紙１の先端を押し、突き当て部材６に用紙１の後端を突き当て、用紙１の整合性を向上させる。
【００１８】
その後、綴じ処理を実施するまでの所定枚数の用紙が用紙積載台５上に重なるまで、放出ベルト９を正逆転駆動させて、１枚毎に弾性部材１１にて用紙先端を押し、突き当て部材６に用紙後端を突き当て、整合を行なう。所定枚数が整合された後、用紙束の後端を綴じ機構８にて綴じ処置を行い、綴じ処置後に、放出ベルト９を正転駆動して用紙束の後端を放出部材１０にて持ち上げ、用紙積載台５から図示しない積載トレイ上に放出する。
【００１９】
弾性部材１１にて用紙１の先端を柔軟に押し、突き当て部材６に用紙後端を突き当てるため、用紙の種類、厚さ、用紙サイズ等によっては、用紙の剛性などの違いを弾性部材によって補正し、傷等を発生させることなく用紙の搬送方向の整合性を安定確保することができる。
【００２０】
また、２枚重なって用紙積載台５に搬入された用紙１の下部用紙１ｂは放出ベルト９に設けられた突起部材１２によって逆転駆動するときのみ楔効果にて下部用紙１ｂを突き当て部材６の方向に動かす力が働き、突き当てによる搬送方向の整合性を確保することができる。突起部材１２は正転駆動する場合は突起部材１２の上面をすべることによって負荷とならない構造となる。
【産業上の利用可能性】
【００２１】
以上、本発明によれば、容易かつ安価な機構で安定した搬送方向の整合性を実現し、綴じ用紙束の外観品質を向上させた用紙後処理装置を提供することができる。
【図面の簡単な説明】
【００２２】
【図１】本発明の用紙後処理装置の一実施例を示す側面図である。
【図２】本発明の用紙後処理装置の一実施例を示す側面の拡大図である。
【図３】従来の用紙後処理装置の一実施例を示す側面図である。
【符号の説明】
【００２３】
１は用紙、２は用紙後処理装置、３は一時待機重ね合わせ搬送部、４は搬送ローラ対、５は用紙積載台、６は用紙積載台の突き当て部材、７は補助ローラ、８は綴じ機構部、９は放出ベルト、１０は放出部材、１１は弾性部材、１２は突起部材である。
【図１】
2009132488.tif 000003
【図２】
2009132488.tif 000004
【図３】
2009132488.tif 000005